(57)【要約】【課題】コストアップすることなくケーブル部材を確実に保持することが可能な係合部を備えた板状のトレーリングアームを有するサスペンション装置を提供する。【解決手段】車両前後方向に延設され、前端部が車体に連結されると共に後端部側で車輪を支持する左右一対のトレーリングアーム１，２を備える車両のサスペンション装置であって、トレーリングアーム１は板状の部材から構成されると共にトレーリングアーム１に沿って配索されるケーブル部材７を係合する係合部１ｃを備え、係合部１ｃはトレーリングアーム１の板面１ｂの一方側に膨出形成されかつ前後の位置で互いに対向する傾斜面１ｆを有し、前後の傾斜面１ｃにはそれぞれケーブル部材７をトレーリングアーム１に貫通させた状態で係合可能な一対の係合孔１ｅが形成されている。【選択図】図４
2014144682.tif 000002
【特許請求の範囲】
【請求項１】
車両前後方向に延設され、前端部が車体に連結されると共に後端部側で車輪を支持する左右一対のトレーリングアームを備える車両のサスペンション装置であって、
前記トレーリングアームは板状の部材から構成されると共に当該トレーリングアームに沿って配索されるケーブル部材を係合する係合部を備え、前記係合部は前記トレーリングアームの板面の一方側に膨出形成されかつ前後の位置で互いに対向する傾斜面を有し、前記前後の傾斜面にはそれぞれ前記ケーブル部材を前記トレーリングアームに貫通させた状態で係合可能な一対の係合孔が形成されることを特徴とする車両のサスペンション装置。  
【請求項２】
請求項１記載の車両のサスペンション装置において、
前記トレーリングアームはその周縁部が車幅方向に曲折形成されたフランジ部を有し、前記係合部は前記フランジ部が曲折された方向に向けて膨出するよう形成されていることを特徴とする車両のサスペンション装置。
【請求項３】
請求項１または２記載の車両のサスペンション装置において、
前記係合部は穴部を有し、該穴部は前記一対の係合孔の間に設けられると共に、前記一対の係合孔の径よりも大きくかつ前記一対の係合孔と連通するよう形成されていることを特徴とする車両のサスペンション装置。
【請求項４】
請求項１または２記載の車両のサスペンション装置において、
車両右側に配置される前記トレーリングアームと車両左側に配置される前記トレーリングアームとは、互いの前記係合部がそれぞれ同じ方向に向けて膨出された同一の形状であることを特徴とする車両のサスペンション装置。
【発明の詳細な説明】
【技術分野】
【０００１】
本発明は、車両のサスペンション装置に関し、詳しくは、自身を貫通して配索されるケーブル部材が係止される係合部を有する板状のトレーリングアームを備えたサスペンション装置の構造に関する。
【背景技術】
【０００２】
車両のサスペンション装置を構成する部品として、車輪を支持する左右一対のトレーリングアームが知られている。このトレーリングアームには、パーキングブレーキを構成するパーキングケーブルやセンサ類のケーブル等が配索されている。このようなトレーリングアームの一例として、ケーブル部材であるワイヤハーネスをその上部においてクランプ部材によって係止する技術が、例えば「特許文献１」に開示されている。
【先行技術文献】
【特許文献】
【０００３】
【特許文献１】特開平９−３０２２６号公報
【発明の概要】
【発明が解決しようとする課題】
【０００４】
ところで、トレーリングアームには、コストの低減や軽量化のために平板状の板金部材から構成されたものがある。このような板金製のトレーリングアームの場合、パーキングケーブル等のケーブル部材がトレーリングアームの外部に露出するため、車両走行中においてケーブル部材に石等の異物が当たったりしないようにできるだけトレーリングアームの車幅方向内側の面に沿って配索することが好ましい。そのため、ケーブル部材がトレーリングアームの途中で車幅方向内側から外側へと貫通されてブレーキ等に配索される構成となっている。
【０００５】
しかしながら、上記のような板金製のトレーリングアームの場合、トレーリングアームにケーブル部材を貫通させる際にケーブル部材が大きく湾曲して膨らんでしまうため、ケーブル部材に異物が当たったり、他の部材と引っかかったりして破損してしまう虞があった。ケーブル部材の湾曲による膨らみを抑えるために、ケーブル部材が貫通される部位の近傍でケーブル部材をクランプ部材等でトレーリングアームに固定して強制的に膨らみを抑制することもできるが、その場合、ケーブル部材が急角度で曲げられることになり破損の原因になる可能性がある上、クランプ部材等の部品が増加するためにコストアップに繋がるという問題があった。
【０００６】
本発明は上述の問題点を解決し、コストアップすることなくケーブル部材を確実に保持することが可能な係合部を備えた板状のトレーリングアームを有するサスペンション装置の提供を目的とする。
【課題を解決するための手段】
【０００７】
請求項１記載の発明は、車両前後方向に延設され、前端部が車体に連結されると共に後端部側で車輪を支持する左右一対のトレーリングアームを備える車両のサスペンション装置であって、前記トレーリングアームは板状の部材から構成されると共に当該トレーリングアームに沿って配索されるケーブル部材を係合する係合部を備え、前記係合部は前記トレーリングアームの板面の一方側に膨出形成されかつ前後の位置で互いに対向する傾斜面を有し、前記前後の傾斜面にはそれぞれ前記ケーブル部材を前記トレーリングアームに貫通させた状態で係合可能な一対の係合孔が形成されることを特徴とする。
【０００８】
請求項２記載の発明は、請求項１記載の車両のサスペンション装置において、さらに前記トレーリングアームはその周縁部が車幅方向に曲折形成されたフランジ部を有し、前記係合部は前記フランジ部が曲折された方向に向けて膨出するよう形成されていることを特徴とする。
【０００９】
請求項３記載の発明は、請求項１または２記載の車両のサスペンション装置において、さらに前記係合部は穴部を有し、該穴部は前記一対の係合孔の間に設けられると共に、前記一対の係合孔の径よりも大きくかつ前記一対の係合孔と連通するよう形成されていることを特徴とする。
【００１０】
請求項４記載の発明は、請求項１または２記載の車両のサスペンション装置において、さらに車両右側に配置される前記トレーリングアームと車両左側に配置される前記トレーリングアームとは、互いの前記係合部がそれぞれ同じ方向に向けて膨出された同一の形状であることを特徴とする。
【発明の効果】
【００１１】
本発明によれば、膨出形成された係合部の前後の傾斜面に係合孔が設けられているので、パーキングブレーキやセンサ等に用いられるケーブル部材を無理に曲げることなくトレーリングアームに貫通させた状態で係合保持することができる。すなわち、ケーブル部材が係合部の近傍で大きく湾曲して膨らむことなく、ほぼ板面に沿った状態で貫通される。従って、無理な配索をせずに自然な状態でケーブル部材を確実に保持することができる。しかも、クランプ等の保持部材が必要ないので、コストも削減することができる。
【図面の簡単な説明】
【００１２】
【図１】本発明の一実施形態を採用した車両の車体構造を示す概略図である。
【図２】本発明の一実施形態に用いられるトレーリングアームの概略斜視図である。
【図３】本発明の一実施形態に用いられるトレーリングアームの概略正面図である。
【図４】本発明の一実施形態に用いられるトレーリングアームの係合部を説明する要部概略図である。
【図５】図４におけるＡ−Ａ断面図である。
【発明を実施するための形態】
【００１３】
図１は、本発明の一実施形態を採用した車両のサスペンション装置を示している。同図において白抜き矢印が車両の前方を示しており、符号１が右側のトレーリングアームを、符号２が左側のトレーリングアームをそれぞれ示している。トレーリングアーム１，２は、車両前後方向に延設され、その前端部はブッシュを介して車体を構成する図示しないサイドメンバに連結されている。そして、後端部側には図示しない車輪を支持しており、車輪の上下動に合わせて上下に揺動可能とされている。各トレーリングアーム１，２の車両後方側端部にはそれぞれアームブラケット３が取り付けられており、各アームブラケット３にはリヤアクスルパイプ４の両端が支持されている。各アームブラケット３の車両外側端部にはブレーキ等を留めるエンドプレート５がそれぞれ取り付けられており、さらにブレーキを介して車輪が取り付けられている。また、各アームブラケット３の上方には図示しないコイルスプリングの一端を受けるスプリングシート６がそれぞれ取り付けられている。そして、トレーリングアーム１にはパーキングブレーキの一部をなすケーブル部材としてのパーキングケーブル７が、トレーリングアーム２には同じくケーブル部材としてのパーキングケーブル８が、車両の内側方向から各トレーリングアーム１，２をそれぞれ貫通して車両の外側方向へと向けて配置されている。
【００１４】
図２はトレーリングアーム１の概略斜視図であり、図３は同正面図である。トレーリングアーム１は各種部材が取り付けられる穴部等を複数有しており、その周囲には図２において紙面手前側である車幅方向に向けて曲折形成されたフランジ部１ａが設けられている。そして、トレーリングアーム１の板面を構成する中央凸部１ｂはフランジ部１ａと同方向に打ち出し形成されており、この中央凸部１ｂからさらにフランジ部１ａと同方向に膨出形成されることにより係合部１ｃが形成されている。
【００１５】
係合部１ｃは、図４に示すようにその中央部が紙面手前側に突出するように、すなわち図５（ａ）に示すように図４におけるＡ−Ａ断面視で断面台形状となるように中央凸部１ｂから膨出形成されており、係合部１ｃの中央凸部１ｂに連続する前後の部位は傾斜面１ｆを構成している。係合部１ｃは、その中央にパーキングケーブル７が容易に通過可能である大きさの穴部１ｄを有しており、前後の傾斜面１fには、パーキングケーブル７が貫通可能な係合孔１ｅが一対で設けられている。そして、穴部１ｄと各係合孔１ｅとは、パーキングケーブル７の直径よりも細い溝部１ｇを介して連通されている。つまり、穴部１ｄの前後には、溝部１ｇを介して一対の係合孔１ｅが設けられている。この構成より、トレーリングアーム１を貫通すべく穴部１ｄ内を通過させたパーキングケーブル７を、何れかの溝部１ｇを介して何れかの係合孔１ｅに嵌合させることで係合部１ｃに係合させることができる。したがって、パーキングケーブル７を係合孔１ｅに係合する際の作業が容易となる。ここで、パーキングケーブル７をトレーリングアーム１の車室側から外部側へと通す場合には、図５（ａ）に示すように図４において左側の係合孔１ｅにパーキングケーブル７が係合され、外部側から車室側へと通す場合には図４において右側の係合孔１ｅにパーキングケーブル７が係合される。
【００１６】
上述の構成より、図４及び図５に示すように係合部１ｃを構成する２箇所の係合孔１ｅが各傾斜面１ｆにより中央凸部１ｂに対して所定の角度で傾斜すると共に前後方向で互いに対向配置されているので、係合部１ｃを貫通したパーキングケーブル７が中央凸部１ｂに沿う態様で何れかの係合孔１ｅに係合するため、各係合孔１ｅに係合したパーキングケーブル７に対して無理な外力が働きにくく、パーキングケーブル７をトレーリングアーム１に貫通させた状態で良好かつ確実に保持することが可能となる。これにより、パーキングケーブル７が係合部１ｃの近傍で大きく湾曲して膨らむことが防止され、自然な状態でパーキングケーブル７を保持することができる。さらに、クランプ部材等の保持部材を必要としないので、コストダウンを図ることができる。
【００１７】
また本発明の構成によれば、図５（ｂ）に示すようにトレーリングアーム２としてトレーリングアーム１と全く同形状のものを用いることができる。図５（ｂ）において、トレーリングアーム２はトレーリングアーム１と同形状であることから、トレーリングアーム１の符号１を符号２に代えて示している。ここで、パーキングケーブル８をトレーリングアーム２の車室側から外部側へと通す場合には、図５（ｂ）に示すように図４において右側の係合孔２ｅにパーキングケーブル８が係合され、外部側から車室側へと通す場合には図４において左側の係合孔２ｅにパーキングケーブル８が係合される。
【００１８】
上述の構成より、一対で用いられるトレーリングアームとして、従来のように左右対称形状ではなく左右同一形状のものを用いることができ、板金部材の金型が１つで済むことからコストダウンを図ることができ、さらに組み立て時における左右取り違えミスを防止することができる。
【符号の説明】
【００１９】
１，２  トレーリングアーム
１ａ，２ａ  フランジ部
１ｂ  板面（中央凸部）
１ｃ，２ｃ  係合部
１ｄ  穴部
１ｅ，２ｅ  係合孔
１ｆ，２ｆ  傾斜面
７，８  ケーブル部材（パーキングケーブル）
【図１】
2014144682.tif 000003
【図２】
2014144682.tif 000004
【図３】
2014144682.tif 000005
【図４】
2014144682.tif 000006
【図５】
2014144682.tif 000007